(57)【要約】【課題】  機械装置や電気装置の組立て作業または、修理作業において使用するワッシャー、スプリング・ワッシャー等の円環状部品を、大きな、高価な装置を使用することなく、１個ずつ簡単に取り出すことができるようにした簡易な部品収納容器を提供することにある。【解決手段】  円環状部品を収納するための容器であって、底板と当該底板の全周の内の一部を除く外周に立設された側壁からなり、Ｕ字状切欠きを備えた部品収納部と、部品収納部の内側底板上に、回動自在に組み付けられ、複数のＵ字状切欠きが設けられた回転板と、回転板を組み付けた当該部品収納部の開口部分を覆う形状を有し、複数のＵ字状切欠きを備えたカバー部とから成り、各Ｕ字状切欠きが回転板の回転方向において同じ位置に位置合わせできるようになっている構成とした。【選択図】図1
2008068881.tif 000002
【特許請求の範囲】
【請求項１】
円環状部品を収納するための容器において、
（１）底板と当該底板の全周の内の一部を除く外周に立設された側壁からなる部品収納部であって、当該底板の側壁の無い部分の外周部に複数のＵ字状切欠きが設けられた部品収納部と、
（２）当該部品収納部の内側底板上に、回動自在に組み付けられた回転板であって、当該回転板の外周部に複数のＵ字状切欠きが設けられた回転板と、
（３）当該回転板を組み付けた当該部品収納部の開口部分を覆う形状をしたカバー部であって、
当該カバー部からは当該底板の側壁の無い部分と同じ形状をした板状部分が伸び、
当該板状部分は当該カバー部を当該部品収納部に組み付けたときに、当該回転板の回動を阻止しない程度に当該回転板に接触するようになっており、
当該板状部分の外周部には複数のＵ字状切欠きが設けられている
カバー部とから成り、
（４）当該回転板のＵ字状切欠きは、部品収納部のＵ字状切欠き及びカバー部のＵ字状切欠きよりも大きく、当該回転板のＵ字状切欠き、部品収納部のＵ字状切欠き、及びカバー部のＵ字状切欠きが当該回転板の回転方向において同じ位置に位置合わせできるようになっている
ことを特徴とする円環状部品を収納するための容器。
【請求項２】
請求項１に記載の円環状部品を収納するための容器において、前記部品収納部の側壁には、前記回転板を回転させることにより、余分な円環状部品を前記回転板のＵ字状切欠き部分から排除するための一つ又は複数の突起部が設けられていることを特徴とする円環状部品を収納するための容器。
【請求項３】
請求項１又は２のいずれかに記載の円環状部品を収納するための容器において、前記回転板が前記部品収納部の側壁の無い部分における底板の外周、および前記カバー部の板状部分の外周より外側に突起していることを特徴とする円環状部品を収納するための容器。
【請求項４】
請求項１乃至３のいずれかに記載の円環状部品を収納するための容器において、前期回転板の外周部に設けられた複数のＵ字状切欠きの寸法は、前記容器に収納された前記円環状部品が当該Ｕ字状切欠きの先端部に嵌まり込むように設定されていることを特徴とする円環状部品を収納するための容器。
【発明の詳細な説明】
【技術分野】
【０００１】
本発明は円環状部品を収納するための部品収納容器に係り、更に詳細には収納した円環状の部品を一つずつ簡単に取り出せるようにした部品収納容器に係る。
【背景技術】
【０００２】
従来、ワッシャー、スプリング・ワッシャー等の機械部品を収納する容器は、所定の大きさを有する容器にバルク状態で収納されていた。装置の組立て作業等においてこのような部品を使用する際には、容器の蓋を開け、バラバラに収納された部品を１個づつ指でつまんで取り出し、両手を使って他の部品、例えば、子ネジやボルト等を差し込んでから装置に組み込んでいくのが一般的であった。
【０００３】
また、このようなワッシャー等を大量に使用する組立て工程等においては、捩り振動パーツフィーダを利用してボルトとワッシャーとの組合わせ部品、すなわちワッシャーの孔部にボルトの軸部を自動的に挿通させたものを供給するボルト・ワッシャ組合わせ部品供給装置が実用化されており、種々の製品の組立てラインの省力化に貢献している（文献１参照）。
【０００４】
しかしながら、部品の１つ１つを作業者が指でつまんで他の部品と組合せた上で組立て作業に使用するような方法では、細かい指先での作業が必要になり、作業性が悪いだけでなく、組立て作業者の疲労感も蓄積されてしまうという問題があった。
【０００５】
一方、捩り振動パーツフィーダを利用したボルト・ワッシャ組合わせ部品供給装置等のような自動化装置を使用した場合には、作業性および作業環境の改善を行うことができるが、装置が高価で、また装置自体が大きく、大きな作業空間を必要とするなどの問題があった。
【特許文献１】実用新案公開平７−１１２３６号公報
【発明の開示】
【発明が解決しようとする課題】
【０００６】
本発明は、かかる事情を鑑みなされたものであり、その目的とするところは、機械装置や電気装置の組立て作業または、修理作業において使用するワッシャー、スプリング・ワッシャー等の円環状部品を、大きな、高価な装置を使用することなく、１個づつ簡単に取り出すことができるようにした簡易な部品収納容器を提供することにある。
【課題を解決するための手段】
【０００７】
上述した課題を解決するために、本発明の請求項1に係る発明においては、円環状部品を収納するための容器において、
（１）底板と当該底板の全周の内の一部を除く外周に立設された側壁からなる部品収納部であって、当該底板の側壁の無い部分の外周部に複数のＵ字状切欠きを設けた部品収納部と、
（２）部品収納部の内側底板上に、回動自在に組み付けられた回転板であって、当該回転板の外周部に複数のＵ字状切欠きが設けられた回転板と、
（３）回転板を組み付けた部品収納部の開口部分を覆う形状をしたカバー部であって、
当該カバー部からは底板の側壁の無い部分と同じ形状をした板状部分が伸び、
板状部分は当該カバー部を部品収納部に組み付けたときに、回転板の回動を阻止しない程度に回転板に接触するようになっており、
当該板状部分の外周部には複数のＵ字状切欠きが設けられている
カバー部とから成り、
（４）回転板のＵ字状切欠きは、部品収納部のＵ字状切欠き及びカバー部のＵ字状切欠きよりも大きく、回転板のＵ字状切欠き、部品収納部のＵ字状切欠き、及びカバー部のＵ字状切欠きが回転板の回転方向において同じ位置に位置合わせできるようになる構成としている。
【０００８】
このような構成にすることにより、容器内に収納された円環状部品は、回転板を回転させることによって、回転板の外周部に設けたＵ字状切欠き部に嵌り込むと共に、回転板の回転に従って部品収納部のＵ字状切欠きを設けた部分と、カバー部のＵ字状切欠きを設けた板状部分の間に挟み込まれ、円環状部品は１個ずつ、その一部を容器外に露出した状態に置かれる。
【０００９】
このような状態になれば、例えば子ネジやボルトのような他の部品の軸部を円環状部品の中に差し込んだ上で、または、円環状部品を単体で１個ずつ、簡単に取り出すことが可能となる。
【００１０】
また、本発明の請求項２に係る発明においては、請求項１に記載の円環状部品を収納するための容器において、部品収納部の側壁には、前記回転板を回転させることにより、余分な円環状部品を回転板のＵ字状切欠き部分から排除するための一つ又は複数の突起部を設けた構成としている。
【００１１】
このような構成とすることにより、円環状部品が、回転板の外周部に設けたＵ字状切欠き部に完全に嵌り込まず、カバー部のＵ字状切欠きを設けた板状部分と回転板との間に挟み込まれ、回転板が回転しにくくなるというトラブルを未然に防ぐことができるようになる。
【００１２】
更に、本発明の請求項３に係る発明においては、請求項１又は２のいずれかに記載の円環状部品を収納するための容器において、回転板が部品収納部の側壁の無い部分における底板の外周、およびカバー部の板状部分の外周より外側に突起している構成としている。
【００１３】
このような構成にすることにより、指で回転板を自由に回転させることが可能となり、円環状部品の取出しが更に容易になる。
【００１４】
また、本発明の請求項４に係る発明においては、請求項１乃至３のいずれかに記載の円環状部品を収納するための容器において、回転板の外周部に設けられた複数のＵ字状切欠きの寸法を、容器に収納された円環状部品が当該Ｕ字状切欠きの先端部に嵌まり込むように設定している。
【００１５】
このような構成にすることにより、円環状部品が回転板の外周部に設けられた複数のＵ字状切欠きの中にズレなく収まり、例えば子ネジやボルトのような他の部品の軸部を円環状部品の中に差し込んで、円環状部品を取り出す場合、容易に他の部品の軸部を円環状部品の中に差し込むことが可能となる。
【発明の効果】
【００１６】
上述したような構成の発明によって、例えば子ネジやボルトのような他の部品と組み合わせて円環状部品を使用する場合等において、子ネジやボルトのような他の部品の軸部を円環状部品の中に差し込んだ上で、収納容器から簡単に取り出すことが可能となる。また、当然に円環状部品を単体で１個ずつ取り出すことも可能となる。
【００１７】
即ち、機械装置や電気装置の組立て作業または、修理作業において使用するワッシャー、スプリング・ワッシャー等の円環状部品を、大きな、高価な装置を使用することなく、１個づつ簡単に取り出すことができるようにした簡易な部品収納容器を提供することができる。
【発明を実施するための最良の形態】
【００１８】
以下本発明を図面に示す実施例に基いて説明する。
【００１９】
図１は、本発明の実施例である部品収納容器組立１０を示したものである。図１（ａ）は、部品収納容器組立１０の平面断面図、図１（ｂ）は、部品収納容器組立１０の正面断面図、図１（ｃ）は、部品収納容器組立１０の側面断面図を示したものである。
【００２０】
部品収納容器組立１０は、部品収納部１１０、回転板１２０、及びカバー部１３０から構成されている。
【００２１】
本実施例における部品収納部１１０は、図２に示すように略円形状をした底板１１１、底板１１１の外周部の一部に立設した側壁１１２から成り、底板１１１の外周部の一部には側壁１１２の無い部分１１４が存在する。底板における側壁の無い部分１１４の外周部分には、複数のＵ字状切欠き１１５が周方向等分に配置されている。このＵ字状切欠き１１５の先端半円部１１６の半径は、収納する円環状部品の外半径より小さくし、内半径より大きくしておくことが望ましい。
【００２２】
部品収納部１１０の側壁部分には、前記回転板を回転させたときに、余分な円環状部品１１を回転板のＵ字状切欠き部分から排除するために、二つのの突起１１３が設けられている。この突起１１３は、部品収納容器として組立てた場合に、回転板の上面からわずかに上方に位置するように配置され、この突起の先端はＵ字状切欠き部分の方向に向かって斜めに傾斜した状態で突起させることにより、回転板が回転した際に、回転板の上にある余分な円環状部品１１を回転板の中心方向へ押しやることができ、円環状部品１１が回転板１２０の外周部に設けたＵ字状切欠き部に完全に嵌り込まず、カバー部１３０のＵ字状切欠きを設けた板状部分と回転板との間に挟み込まれ、回転板が回転しにくくなるというトラブルを未然に防ぐことができるようになる。
【００２３】
本実施例においては、突起１１３は２個設けられているが、これに限定されるものではなく、1つ又は複数の突起を設けるようにしても良い。
【００２４】
この部品収納部１１０は、鉄系または非鉄系の板金材を使用して製作することができる。板金材を使用して部品収納部１１０を製作する場合には、絞り加工または溶接加工によって部品収納部１１０の形状を付与することができる。
【００２５】
また、部品収納部１１０は、例えば、熱可塑性樹脂の押出し成形によって成形することも可能である。
【００２６】
本実施例における回転板１２０は、図3に示すように円形形状を有し、その外周には複数のＵ字状切欠き１２５が周方向等分に配置されている。このＵ字状切欠き１２５の先端半円部１２６の半径は、収納する円環状部品の半径よりわずかに大きくしておくことが望ましい。
【００２７】
また、回転板１２０は鉄系または非鉄系の板金材を使用して製作することもできるし、例えば、熱可塑性樹脂の押出し成形によって成形することも可能である。
【００２８】
更に、回転板１２０の板厚は、収納する円環状部品１１の厚さよりもわずかに厚くしておくことが望ましい。このようにすることによって部品収納容器として組み立てた後、Ｕ字状切欠き１２５の中に円環状部品１１が嵌まり込んだ状態で回転板１２０を回転させる場合であっても、スムースに回転板１２０を回転させることが可能となる。
【００２９】
また、回転板１２０のＵ字状切欠き１２５先端半円部１２６の中心位置は、部品収納部１１０のＵ字状切欠き１１５先端半円部１１６の中心位置に一致するようにしておくことが望ましい。
【００３０】
本実施例におけるカバー部１３０は、図4に示すようにＤ字形状をした上板１３１と、上板１３１の直線状外周において立設された側壁１３２と、側壁１３２の先端部分から上板１３１と平行に伸びた半月形状をした板状部分１３３から成る。カバー部１３０を部品収納容器として組み立てた場合、上板１３１と側壁１３２とが、部品収納部１１０の開口部分を覆うことになる。従って、部品収納部１１０の底板１１１、側壁１１２、およびカバー部１３０の上板１３１、側壁１３２によって画成される空間が、円環状部品１１を収納する空間となる。
【００３１】
また、半月形状をした板状部分１３３は部品収納部１１０の側壁１１２の無い部分１１４と同じ形状を有している。この板状部分１３３には、複数のＵ字状切欠き１３５が周方向等分に配置されている。このＵ字状切欠き１３５の先端半円部１３６の半径は、収納する円環状部品の外半径より小さくし、内半径より大きくしておくことが望ましい。更に、カバー部１３０のＵ字状切欠き１３５先端半円部１３６の中心位置は、部品収納部１１０のＵ字状切欠き１１５先端半円部１１６の中心位置に一致するようにしておくことが望ましい。
【００３２】
このカバー部１３０についても、鉄系または非鉄系の板金材を使用して製作することができる。板金材を使用してカバー部１３０を製作する場合には、溶接加工または曲げ加工によってカバー部１３０の形状を付与することができる。更にカバー部１３０は、例えば、熱可塑性樹脂の押出し成形によって成形することも可能である。なお、上板１３１の内側には、Ｄ字形形状をした板状突起１３４を設けるようにしても良い。このような板状突起１３４を設けることによって、このカバー部１３０を部品収納部１１０に組み付ける際、部品収納部１１０の側壁１１２の内側に嵌まり込ませることにより、容易に位置合わせすることが可能となる。
【００３３】
部品収納部１１０、回転板１２０、及びカバー部１３０は、図1に示すような配置で組み立てられるが、部品収納部１１０、回転板１２０、及びカバー部１３０の中心位置には、ネジ穴またはネジが貫通する穴が設けられており、例えば皿ネジの如きファスナーにて一体的に組み立てられる。なお、その際、回転板１２０は当該皿ネジを中心にして自由に回転できるようになっている。
【００３４】
次に、部品収納容器１０の使用方法について説明する。
【００３５】
まず、組み立てられた部品収納容器１０の皿ビス１２を緩め、カバー部１３０を取り外す。次に、部品収納部１１０内に配置された回転板１２０の上へ収納すべき円環状部品１１をバルク状態で投入する。その後、カバー部１３０を取り付け、皿ビス１２で当該カバー部１３０を固定することによって、円環状部品１１の収納が完了する。
【００３６】
部品収納容器１０に収納された円環状部品１１を取り出す場合には、カバー部１３０の板状部分１３３から突起した回転板１２０の外周部分を指で回転させてやることによって部品収納容器１０内に収納された円環状部品１１は回転板１２０の外周部分に設けられたＵ字状切欠き１２５の中に嵌まり込み、当該嵌まり込んだ円環状部品１１は、回転板１２０と共に回転されカバー部１３０の板状部分１３３まで送り出されてくる。この位置においては、円環状部品１１の外周の一部がカバー部１３０の板状部分１３３と部品収納部１１０内の底板１１１の間に挟まれた状態に置かれる。この円環状部品１１は指先で挟みとることにより、1個ずつ単独で取り出すこともできるるが、子ネジまたはボルト等の軸を円環状部品１１の穴の部分に差し込んでから、二つの部品を一体にして取り出すことも可能となる。
【００３７】
このような収納容器とすることにより、機械装置や電気装置の組立て作業または、修理作業において使用するワッシャー、スプリング・ワッシャー等の円環状部品を、大きな、高価な装置を使用することなく、１個ずつ簡単に取り出すことができるようになり、作業の効率化をはかることが可能となる。
【００３８】
なお、ここでは円環状部品１１として、ワッシャー、スプリング・ワッシャー等を例示したが、係る部品に限定されるものではなく、例えば、Ｏ-リング、グロメット、リテーナー・リング、Ｃ-リング、スペーサー等のような円環状または略円環状の形状を有する部品であれば全て対象とすることができる。
【産業上の利用可能性】
【００３９】
機械装置や電気装置の組立て作業または、修理作業において使用する円環状部品を保管し、収納すると共に、当該部品を供給するための容器として使用することができる。
【図面の簡単な説明】
【００４０】
【図１】図１は、本発明の実施例である部品収納容器組立１０を示したものであり、図１（ａ）は、部品収納容器組立１０の平面断面図、図１（ｂ）は、部品収納容器組立１０の正面断面図、図１（ｃ）は、部品収納容器組立１０の側面断面図を示したものである。
【図２】図２は、部品収納部１１０を示したものであり、図２（ａ）は、部品収納部１１０の平面図、図２（ｂ）は、部品収納部１１０の正面図、図２（ｃ）は、部品収納部１１０の側面図を示したものである。
【図３】図３は、回転板１２０の平面図を示したものである。
【図４】図４は、カバー部１３０を示したものであり、図４（ａ）は、カバー部１３０の平面図、図４（ｂ）は、カバー部１３０の正面図、図４（ｃ）は、カバー部１３０の側面図を示したものである。
【符号の説明】
【００４１】
１０   部品収納容器
１１   円環状部品
１２   皿ビス
１１０ 部品収納部
１１１ 底板
１１２ 側壁
１１３ 突起
１１４ 側壁の無い部分
１１５，１２５，１３５      Ｕ字状切欠き
１１６，１２６，１３６      先端半円部
１２０ 回転板
１３０ カバー部
１３１ 上板
１３２ 側壁
１３３ 板状部分
１３４ 板状突起
【図１】
2008068881.tif 000003
【図２】
2008068881.tif 000004
【図３】
2008068881.tif 000005
【図４】
2008068881.tif 000006